(57)【要約】【課題】ユーザーが必要とするアラームおよびエラーの測定項目の測定データのみを的確に取り込むことができ、伝送品質や伝送特性などをより正確に効率よく測定できる通信測定装置を提供すること。【解決手段】測定対象に試験用信号を出力する信号発生手段と、測定対象から試験用信号に対応して出力される応答信号と前記試験用信号に基づいて解析結果として前記測定対象のアラームデータおよびエラーデータを出力する測定解析手段と、これらアラームデータおよびエラーデータをそれぞれログファイルとして格納する解析結果格納手段を有する通信測定装置において、前記ログファイルとして格納するアラームデータおよびエラーデータの格納条件を設定入力する格納条件設定入力手段と、設定入力された格納条件を格納する格納条件管理手段、を設けたことを特徴とするもの。【選択図】  図１
2012065084.tif 000002
【特許請求の範囲】
【請求項１】
測定対象に試験用信号を出力する信号発生手段と、測定対象から試験用信号に対応して出力される応答信号と前記試験用信号に基づいて解析結果として前記測定対象のアラームデータおよびエラーデータを出力する測定解析手段と、これらアラームデータおよびエラーデータをそれぞれログファイルとして格納する解析結果格納手段を有する通信測定装置において、
前記ログファイルとして格納するアラームデータおよびエラーデータの格納条件を設定入力する格納条件設定入力手段と、
設定入力された格納条件を格納する格納条件管理手段、
を設けたことを特徴とする通信測定装置。
【請求項２】
前記格納条件設定入力手段はＧＵＩ画面であることを特徴とする請求項１記載の通信測定装置。
【請求項３】
前記格納条件は、アラームデータおよびエラーデータの項目と各項目のデータ数を個別に設定する閾値を含むことを特徴とする請求項１または請求項２記載の通信測定装置。
【発明の詳細な説明】
【技術分野】
【０００１】
本発明は、通信測定装置に関し、詳しくは、高速大容量デジタル通信網における測定データの管理に関する。
【背景技術】
【０００２】
近年の高速大容量デジタル通信網の拡大普及に伴い、伝送品質や伝送特性などをより正確に効率よく測定できる通信測定装置として、たとえば非特許文献１や非特許文献２に記載されているような通信測定装置が実用化されている。
【０００３】
図５は、従来の通信測定装置の一例を示すブロック図である。図５において、通信測定装置１０から伝送装置などの測定対象（ＤＵＴ）２０に対して試験目的に応じた所定の試験用信号が出力され、測定対象２０から通信測定装置１０に対して試験用信号に対応した応答信号が出力される。通信測定装置１０は、これら試験用信号および応答信号に基づいて、測定対象２０の伝送品質や伝送特性などを測定する。
【０００４】
通信測定装置１０において、信号発生部１１は、試験目的に応じた試験用信号として所定のパルスパターン信号を測定対象２０に出力する。測定対象２０は、パルスパターン信号に対応した応答信号を測定解析部１２に入力する。
【０００５】
測定解析部１２は、信号発生部１１から入力される試験用信号と測定対象２０から入力される応答信号に基づいて測定データを生成する測定データ生成部１２ａと、測定データの解析結果としてたとえばアラームデータとエラーデータを出力する測定データ解析部１２ｂとで構成されていて、これらの解析結果を解析結果処理格納部１３に入力する。
【０００６】
解析結果処理格納部１３は、アラームデータについてはアラームデータ処理部１３ａで処理を行って処理結果をテキスト化されたログファイルとしてアラームデータ格納部１３ｃに格納し、エラーデータについてはエラーデータ処理部１３ｂで処理を行って処理結果をテキスト化されたログファイルとしてエラーデータ格納部１３ｄに格納する。
【０００７】
ログファイルとして保存対象となる測定データの項目は、たとえば非特許文献１や非特許文献２に記載されている装置では、アラームについては約３００項目、エラーは約１００項目存在する。
【０００８】
測定中にアラームやエラーが発生すると、それらのアラームやエラーの該当する項目の全測定データがアラームデータ処理部１３ａおよびエラーデータ処理部１３ｂで処理抽出され、抽出された測定データはそれぞれテキスト化されたログファイルとしてアラームデータ格納部１３ｃおよびエラーデータ格納部１３ｄに格納される。
【先行技術文献】
【非特許文献】
【０００９】
【非特許文献１】柳澤  幸樹、外３名、「40 Gbit/s次世代光IPトランスポートアナライザNX4000」、横河技報、横河電機株式会社、２００７年１０月２２日、Ｖｏｌ．５１  Ｎｏ．４（２００７）  ｐ．３３−３６
【非特許文献２】大利  賢治、外３名、「40 GbpsトランスポートアナライザNX4000の測定アプリケーション」、横河技報、横河電機株式会社、２００８年７月２５日、Ｖｏｌ．５２  Ｎｏ．３（２００８）  ｐ．１３−１６
【発明の開示】
【発明が解決しようとする課題】
【００１０】
しかし、従来の装置では、アラームおよびエラーの全項目を対象としてそれらの測定データをログファイルとしてアラームデータ格納部１３ｃおよびエラーデータ格納部１３ｄに格納するように構成されているので、アラームやエラーが発生すると、アラームデータ格納部１３ｃおよびエラーデータ格納部１３ｄには膨大な量の測定データが格納されることになる。
【００１１】
すなわち、アラームやエラーが発生すると、ユーザーにとっては重要視しないような不要な測定項目もログファイルとして格納されることになる。したがって、ユーザーは、特に重要視する測定項目やチェックしたい測定項目をログファイル内から探し出さなければならず、相当の工数が必要になる。
【００１２】
また、アラームデータ格納部１３ｃおよびエラーデータ格納部１３ｄには、最大量の測定データを格納するための領域を確保しておかなければならない。たとえば、従来の装置では、１ファイルあたり１００Ｋバイトのファイルをアラームとエラーを合わせて最大５００個が格納できるように構成されている。
【００１３】
本発明は、このような課題を解決するもので、その目的は、ユーザーが必要とするアラームおよびエラーの測定項目の測定データのみを的確に取り込むことができ、伝送品質や伝送特性などをより正確に効率よく測定できる通信測定装置を提供することにある。
【課題を解決するための手段】
【００１４】
このような課題を達成するために、本発明のうち請求項１記載の発明は、
測定対象に試験用信号を出力する信号発生手段と、測定対象から試験用信号に対応して出力される応答信号と前記試験用信号に基づいて解析結果として前記測定対象のアラームデータおよびエラーデータを出力する測定解析手段と、これらアラームデータおよびエラーデータをそれぞれログファイルとして格納する解析結果格納手段を有する通信測定装置において、
前記ログファイルとして格納するアラームデータおよびエラーデータの格納条件を設定入力する格納条件設定入力手段と、
設定入力された格納条件を格納する格納条件管理手段、
を設けたことを特徴とする。
【００１５】
請求項２記載の発明は、
請求項１記載の通信測定装置において、
前記格納条件設定入力手段はＧＵＩ画面であることを特徴とする。
【００１６】
請求項３記載の発明は、
請求項１または請求項２記載の通信測定装置において、
前記格納条件は、アラームデータおよびエラーデータの項目と各項目のデータ数を個別に設定する閾値を含むことを特徴とする。
【発明の効果】
【００１７】
これらにより、ユーザーが必要とするアラームおよびエラーの測定項目の測定データのみを取り込むことができ、伝送品質や伝送特性などをより正確に効率よく測定できる。
【図面の簡単な説明】
【００１８】
【図１】本発明の一実施例を示すブロック図である。
【図２】格納条件設定部１４による設定入力動作の流れを説明するフローチャートである。
【図３】アラームデータ格納条件管理部１５ａに設定入力されたアラームデータ格納条件に基づくファイル保存の処理の流れを説明するフローチャートである。
【図４】エラーデータ格納条件管理部１５ｂに設定入力されたエラーデータ格納条件に基づくファイル保存の処理の流れを説明するフローチャートである。
【図５】従来の通信測定装置の一例を示すブロック図である。
【発明を実施するための最良の形態】
【００１９】
以下、本発明の実施の形態について、図面を用いて詳細に説明する。図１は本発明の一実施例を示すブロック図であり、図５と共通する部分には同一の符号を付けている。図１と図５の相違点は、図１には、格納条件設定部１４と、格納条件管理部１５と、解析結果処理格納部１３にアラームデータ格納制御部１３ｅとエラーデータ格納制御部１３ｆが設けられていることである。
【００２０】
格納条件設定部１４は、たとえばＧＵＩの表示画面上から操作入力できるように構成されていて、測定開始から測定終了までの測定中に発生するアラームやエラーについて、ログファイルとしてアラームデータ格納部１３ｃに格納すべきアラーム項目とアラーム項目別に格納すべきアラーム数の閾値と、ログファイルとしてエラーデータ格納部１３ｄに格納すべきエラー項目とエラー項目別に格納すべきエラー数の閾値を、格納条件管理部１５のアラームデータ格納条件管理部１５ａとエラーデータ格納条件管理部１５ｂにそれぞれ設定入力する。
【００２１】
たとえば前述の非特許文献１や非特許文献２に記載されている装置に適用する場合には、アラームについての約３００項目とエラーについての約１００項目の中からユーザーが注目する項目を選択して設定入力するとともに、それらの各項目について格納すべきアラームやエラーの数を閾値として０〜２００まで１刻みで設定入力する。
【００２２】
アラームデータ格納条件管理部１５ａに設定入力されたアラーム項目とアラーム項目別に格納すべきアラーム数の閾値はアラームデータ格納制御部１３ｅに転送コピーされ、エラーデータ格納条件管理部１５ｂに設定入力されたエラー項目とエラー項目別に格納すべきエラー数の閾値はエラーデータ格納制御部１３ｆに転送コピーされる。
【００２３】
アラームデータ格納条件管理部１５ａは、アラームデータ処理部１３ａから処理出力されるアラームデータの中から、アラームデータ格納条件管理部１５ａから転送コピーされたアラーム項目に該当するものを選択してアラームデータ格納部１３ｃに格納するとともに、アラームデータ格納条件管理部１５ａから転送コピーされたアラーム項目別に格納すべきアラーム数の閾値に基づき、アラームデータ格納部１３ｃに格納されるアラーム項目別のアラーム数を制限管理する。
【００２４】
エラーデータ格納条件管理部１５ｂは、エラーデータ処理部１３ｂから処理出力されるエラーデータの中から、エラーデータ格納条件管理部１５ｂから転送コピーされたエラー項目に該当するものを選択してエラーデータ格納部１３ｄに格納するとともに、エラーデータ格納条件管理部１５ｂから転送コピーされたエラー項目別に格納すべきエラー数の閾値に基づき、エラーデータ格納部１３ｄに格納されるエラー項目別のエラー数を制限管理する。
【００２５】
図２は、格納条件設定部１４による設定入力動作の流れを説明するフローチャートである。
【００２６】
はじめに、全アラーム項目に対する格納の要否情報をたとえばＯＮ/ＯＦＦでアラームデータ格納条件管理部１５ａに送信する（ステップＳ１）。
【００２７】
続いて、格納したいアラーム項目に対して、格納すべきアラームの最大カウント数を閾値として１刻みでアラームデータ格納条件管理部１５ａに送信する（ステップＳ２）。
【００２８】
次に、全エラー項目に対する格納の要否情報をたとえばＯＮ/ＯＦＦでエラーデータ格納条件管理部１５ｂに送信する（ステップＳ３）。
【００２９】
続いて、格納したいエラー項目に対して、格納すべきエラーの最大カウント数を閾値として１刻みでエラーデータ格納条件管理部１５ｂに送信する（ステップＳ４）。
【００３０】
なお、これら一連の設定入力動作は、ユーザーが、たとえばＧＵＩ画面に表示される全項目それぞれのＯＮ/ＯＦＦボタンを選択指定したり、格納したい項目の閾値設定カウンタの設定値を１刻みで加減調整することにより、容易に行える。
【００３１】
図３はアラームデータ格納条件管理部１５ａに設定入力されたアラームデータ格納条件に基づくファイル保存の処理の流れを説明するフローチャート、図４はエラーデータ格納条件管理部１５ｂに設定入力されたエラーデータ格納条件に基づくファイル保存の処理の流れを説明するフローチャートである。なお、以下の説明では、アラームの設定項目数は５０(Alarm[50])とし、エラーの設定項目数は２０(Error[20])とする。
【００３２】
図３において、ファイル保存が開始されると、はじめにアラーム(Alarm)ファイル出力処理に関わる配列インデックス(Index)変数Ｋを０にする（ステップＳ１）。
【００３３】
次に、解析結果処理格納部１３のアラームデータ格納制御部１３ｅは、アラームデータ格納条件管理部１５ａからアラームデータ格納部１３ｃに格納すべきアラーム項目情報Alarm[K]を取得し、変数レジスタAlmRec[K]に保持する（ステップＳ２）。
【００３４】
続いて、解析結果処理格納部１３のアラームデータ格納制御部１３ｅは、測定データ解析部１３からアラームデータ格納部１３ｃに格納すべきアラーム項目情報Alarm[K]に該当する測定データ数を表すAlarm[K]カウント数を取得し、変数レジスタAlmCnt[K]に保持する（ステップＳ３）。
【００３５】
次に、解析結果処理格納部１３のアラームデータ格納制御部１３ｅは、アラームデータ格納条件管理部１５ａからアラームデータ格納部１３ｃに格納すべきアラーム項目情報Alarm[K]のカウント数の最大値を表す閾値情報を取得し、変数レジスタAlmThr[K]に保持する（ステップＳ４）。
【００３６】
続いて、変数レジスタAlmRec[K]の情報がＯＮか否かを判断し（ステップＳ５）、ＯＮであれば変数レジスタAlmCnt[K]の値と変数レジスタAlmThr[K]の値がAlmCnt[K]＞AlmThr[K]であるか否かを判断する（ステップＳ６）。AlmCnt[K]＞AlmThr[K]であれば、変数レジスタAlmCnt[K]に格納されているアラームカウント数Alarm[K]が閾値AlmThr[K]よりも大きいので、その変数レジスタAlmCnt[K]に格納されているアラームカウント数Alarm[K]をファイルとして出力する（ステップＳ７）。
【００３７】
その後、アラームの項目数についてＫ＞５０か否かを判断し（ステップＳ８）、Ｋ＞５０であればアラームの全項目について一連の処理が終わったことになるので図４に示すエラー項目の処理に移行する。Ｋ＞５０でなければ、Ｋを＋１して（ステップＳ９）、Ｋ＞５０になるまでステップＳ２以降の処理を繰り返して実行する。
【００３８】
なお、ステップＳ５において変数レジスタAlmRec[K]の情報がＯＮでない場合およびステップＳ６においてAlmCnt[K]＞AlmThr[K]でない場合には、ステップＳ８の処理にジャンプする。
【００３９】
図４において、エラー項目の処理を実行するのにあたり、はじめにエラー(Error)ファイル出力処理に関わる配列インデックス(Index)変数Ｋを０にする（ステップＳ１０）。
【００４０】
次に、解析結果処理格納部１３のエラーデータ格納制御部１３ｆは、エラーデータ格納条件管理部１５ｂからエラーデータ格納部１３ｄに格納すべきエラー項目情報Error[K]を取得し、変数レジスタErrRec[K]に保持する（ステップＳ１１）。
【００４１】
続いて、解析結果処理格納部１３のエラーデータ格納制御部１３ｆは、測定データ解析部１３からエラーデータ格納部１３ｄに格納すべきエラー項目情報Error[K]に該当する測定データ数を表すError[K]カウント数を取得し、変数レジスタErrCnt[K]に保持する（ステップＳ１２）。
【００４２】
次に、解析結果処理格納部１３のエラーデータ格納制御部１３ｆは、エラーデータ格納条件管理部１５ｂからエラーデータ格納部１３ｄに格納すべきエラー項目情報Error[K]のカウント数の最大値を表す閾値情報を取得し、変数レジスタErrThr[K]に保持する（ステップＳ１３）。
【００４３】
続いて、変数レジスタErrRec[K]の情報がＯＮか否かを判断し（ステップＳ１４）、ＯＮであれば変数レジスタErrCnt[K]の値と変数レジスタErrThr[K]の値がErrCnt[K]＞ErrThr[K]であるか否かを判断する（ステップＳ１５）。ErrCnt[K]＞ErrThr[K]であれば、変数レジスタErrCnt[K]に格納されているエラーカウント数Error[K]が閾値ErrThr[K]よりも大きいので、その変数レジスタErrCnt[K]に格納されているエラーカウント数Error[K]をファイルとして出力する（ステップＳ１６）。
【００４４】
その後、エラーの項目数についてＫ＞２０か否かを判断し（ステップＳ１７）、Ｋ＞２０であればエラーの全項目について一連の処理が終わったことになり、一連のファイル保存処理を終了する。Ｋ＞２０でなければ、Ｋを＋１して（ステップＳ１８）、Ｋ＞２０になるまでステップＳ１１以降の処理を繰り返して実行する。
【００４５】
なお、ステップＳ１４において変数レジスタErrRec[K]の情報がＯＮでない場合およびステップＳ１５においてErrCnt[K]＞ErrThr[K]でない場合には、ステップＳ１７の処理にジャンプする。
【００４６】
ユーザーがＧＵＩ画面から測定STOPイベントを入力することで測定処理が終了するが、図３および図４に示す一連の処理が実行されるまでは測定終了処理の実行は保留される。このような一連の処理が実行されると、ユーザーにより設定入力されたアラーム項目とエラー項目の測定開始時からの全アラームと全エラーの累積カウント数がアラームデータ格納部１３ｃおよびエラーデータ格納部１３ｄにそれぞれ格納されるが、これら格納された累積カウント数はＧＵＩ上に表示されているアラーム数およびエラー数と同期して一致することになる。
【００４７】
このように構成することにより、ユーザーが指定した必要な測定結果のみがログファイルとして保存されることになり、ファイルサイズを大幅に小さくできる。
【００４８】
また、ユーザーにとって必要な測定結果のみログファイルとして保存することで、ファイル内に不要な測定データが保存されることはなく、効率よく測定作業が行える。
【００４９】
さらに、測定データファイルへのアクセス回数を軽減でき、ソフトウェアの処理速度の高速化が図れる。
【００５０】
なお、格納条件管理部１５に格納する情報を増やすことで、さらにユーザーに使いやすい測定データファイル保存機能を実現できる。たとえば、連続で同じアラームやエラーが発生した場合にはそれらの格納を省略する機能を実装することにより、ファイルの可読性を高めることができる。
【００５１】
また、本発明の機能は、必要に応じて、ハードウェアでも実現できるし、ソフトウェアでも実現できる。
【００５２】
以上説明したように、本発明によれば、ユーザーが必要とするアラームおよびエラーの測定項目の測定データのみを取り込むことができ、伝送品質や伝送特性などをより正確に効率よく測定できる通信測定装置が実現できる。
【符号の説明】
【００５３】
１０  通信測定装置
１１  信号発生部
１２  測定部
１３  測定データ解析部
１４  解析結果処理格納部
１３ａ  アラームデータ処理部
１３ｂ  エラーデータ処理部
１３ｃ  アラームデータ格納部
１３ｄ  エラーデータ格納部
１３ｅ  アラームデータ格納制御部
１３ｆ  エラーデータ格納制御部
１４  格納条件設定部
１５  格納条件管理部
１５ａ  アラームデータ格納条件管理部
１５ｂ  エラーデータ格納条件管理部
２０  測定対象（ＤＵＴ）
【図１】
2012065084.tif 000003
【図２】
2012065084.tif 000004
【図３】
2012065084.tif 000005
【図４】
2012065084.tif 000006
【図５】
2012065084.tif 000007